【事件の表示】
　特許第５２２３０３３号に関する訂正審判事件について、次のとおり審決する。
【結　論】
　特許第５２２３０３３号に係る明細書及び特許請求の範囲を本件審判請求書に添付された訂正明細書及び訂正特許請求の範囲のとおり一群の請求項ごとに訂正することを認める。
【理　由】
１　手続の経緯
　本件訂正審判の請求に係る特許第５２２３０３３号（以下「本件特許」という。）は、平成２４年１２月２７日の特許出願であって、その請求項１〜８に係る発明は、平成２５年３月１５日に特許権の設定登録がなされ、平成２５年１２月４日に本件訂正審判の請求がなされたものである。 
　
２　審判請求の趣旨及び訂正の内容
　本件審判請求は、本件特許の願書に添付した明細書（以下「本件特許明細書」という。）及び特許請求の範囲を、本件審判請求書に添付された訂正明細書及び訂正特許請求の範囲のとおり一群の請求項ごとに訂正することを認める、との審決を求めるものである（下線部は訂正箇所を意味する。）。
　なお、本件審判請求書の「５．請求の趣旨」の欄には、「・・・一群の請求項ごとに訂正することを認める、との審決を求める」と記載されていないが、「６．請求の理由」の欄には「（１）請求項１〜８からなる一群の請求項に係る訂正」と記載されていると共に、「６．請求の理由」の「エ．訂正の原因」の欄には「Ｂ．一群の請求項についての説明」についても記載されているから、本件審判請求の請求の趣旨は、「・・・一群の請求項ごとに訂正することを認める、との審決を求める」ものであると認定した。
　
　その訂正内容は、次のとおりである。
　
（１）訂正事項１
　本件特許請求の範囲の請求項１における
「前記第１不正解役図柄は、前記第１の図柄表示手段において、前記停止制御によって前記第１正解役図柄を前記第１、第２および第３の図柄表示手段に跨がって設定される入賞ライン上に停止させることが可能な所定の第１引込可能範囲内に配置され、
　前記第２不正解役図柄は、前記第１の図柄表示手段において、前記停止制御によって前記第２正解役図柄を前記入賞ライン上に停止させることが可能な所定の第２引込可能範囲内に配置され、
　前記第３不正解役図柄は、前記第１の図柄表示手段において、前記停止制御によって前記第３正解役図柄を前記入賞ライン上に停止させることが可能な所定の第３引込可能範囲内に配置され、
　前記第４不正解役図柄は、前記第３の図柄表示手段において、前記停止制御によって前記第４正解役図柄を前記入賞ライン上に停止させることが可能な所定の第４引込可能範囲に配置され、
　前記第５不正解役図柄は、前記第３の図柄表示手段において、前記停止制御によって前記第５正解役図柄を前記入賞ライン上に停止させることが可能な所定の第５引込可能範囲に配置され、
　前記第６不正解役図柄は、前記第３の図柄表示手段において、前記停止制御によって前記第６正解役図柄を前記入賞ライン上に停止させることが可能な所定の第６引込可能範囲に配置されており、」
という記載を、
「前記第１不正解役図柄は、前記第１の図柄表示手段において、前記停止制御によって前記第１
不
　前記第２不正解役図柄は、前記第１の図柄表示手段において、前記停止制御によって前記第２
不
　前記第３不正解役図柄は、前記第１の図柄表示手段において、前記停止制御によって前記第３
不
　前記第４不正解役図柄は、前記第３の図柄表示手段において、前記停止制御によって前記第４
不
　前記第５不正解役図柄は、前記第３の図柄表示手段において、前記停止制御によって前記第５
不
　前記第６不正解役図柄は、前記第３の図柄表示手段において、前記停止制御によって前記第６
不
と訂正する。
　
（２）訂正事項２
　本件特許請求の範囲の請求項８における
「前記図柄には、特別ゲーム開始図柄が含まれ、
　前記抽選区分には、前記ゲーム開始図柄を含む前記図柄の」
という記載を、
「前記図柄には、特別ゲーム開始図柄が含まれ、
　前記抽選区分には、前記
特別
と訂正する。
　
（３）訂正事項３
　本件特許明細書の段落【００１７】における
「前記第１正解役図柄」、「前記第２正解役図柄」、「前記第３正解役図柄」、「前記第４正解役図柄」、「前記第５正解役図柄」、「前記第６正解役図柄」
という記載を、それぞれ
「前記第１
不
不
不
不
不
不
と訂正する。
　
（４）訂正事項４
　本件特許明細書の段落【００４１】における
「抽選区分には、ゲーム開始図柄を含む図柄の」
という記載を、
「抽選区分には、
特別
と訂正する。
　
３　当審の判断
（１）訂正事項１について
　訂正前の請求項１には、
「前記第１不正解役図柄は、前記第１の図柄表示手段において、前記停止制御によって前記第１正解役図柄を前記第１、第２および第３の図柄表示手段に跨がって設定される入賞ライン上に停止させることが可能な所定の第１引込可能範囲内に配置され、
　前記第２不正解役図柄は、前記第１の図柄表示手段において、前記停止制御によって前記第２正解役図柄を前記入賞ライン上に停止させることが可能な所定の第２引込可能範囲内に配置され、
　前記第３不正解役図柄は、前記第１の図柄表示手段において、前記停止制御によって前記第３正解役図柄を前記入賞ライン上に停止させることが可能な所定の第３引込可能範囲内に配置され、
　前記第４不正解役図柄は、前記第３の図柄表示手段において、前記停止制御によって前記第４正解役図柄を前記入賞ライン上に停止させることが可能な所定の第４引込可能範囲に配置され、
　前記第５不正解役図柄は、前記第３の図柄表示手段において、前記停止制御によって前記第５正解役図柄を前記入賞ライン上に停止させることが可能な所定の第５引込可能範囲に配置され、
　前記第６不正解役図柄は、前記第３の図柄表示手段において、前記停止制御によって前記第６正解役図柄を前記入賞ライン上に停止させることが可能な所定の第６引込可能範囲に配置されており、」（以下、「訂正前の請求項１の記載Ａ」という。）
と記載されているが、
　「前記第１正解役図柄」、「前記第２正解役図柄」、「前記第３正解役図柄」、「前記第４正解役図柄」、「前記第５正解役図柄」、「前記第６正解役図柄」という記載の前に、「第１正解役図柄」、「第２正解役図柄」、「第３正解役図柄」、「第４正解役図柄」、「第５正解役図柄」、「第６正解役図柄」という記載がないため、
　「前記第１正解役図柄」、「前記第２正解役図柄」、「前記第３正解役図柄」、「前記第４正解役図柄」、「前記第５正解役図柄」、「前記第６正解役図柄」が、それぞれ何を指すか不明となり、訂正前の請求項１の記載が不明瞭になっていた。
　
　訂正前の請求項１には、
「正解役図柄、第１不正解役図柄、第２不正解役図柄、第３不正解役図柄、第４不正解役図柄、第５不正解役図柄、第６不正解役図柄、第１制御役図柄、第２制御役図柄、第３制御役図柄および第４制御役図柄を含む複数種類の図柄の中から選択された所定数の図柄の配列を有し、当該配列を周回移動させることにより、前記図柄を変動表示させる第１、第２および第３の図柄表示手段と、」（以下、「訂正前の請求項１の記載Ｂ」という。）、
「前記第１引込可能範囲、前記第２引込可能範囲および第３引込可能範囲は、互いに重複しないように排他的に設定されており、
　前記第４引込可能範囲、前記第５引込可能範囲および第６引込可能範囲は、互いに重複しないように排他的に設定されており、」（以下、「訂正前の請求項１の記載Ｃ」という。）、
と記載されている。
　訂正前の請求項１の記載Ａ〜Ｃから、第１、第３の図柄表示手段に表示される図柄は、「正解役図柄、第１不正解役図柄、第２不正解役図柄、第３不正解役図柄、第４不正解役図柄、第５不正解役図柄、第６不正解役図柄、第１制御役図柄、第２制御役図柄、第３制御役図柄および第４制御役図柄」のいずれかの図柄であるといえると共に、
　第１の図柄表示手段に表示される３つの図柄は、互いに重複しない第１〜３引込可能範囲が、第３の図柄表示手段に表示される３つの図柄は、互いに重複しない第４〜６引込可能範囲が、設定されているといえる。
　
　また、本件特許明細書の段落【００９４】には、
「左リール４Ｌの図柄番号「２１」，「１８」の図柄は、「Ａ」図柄（第１不正解役図柄）である。左リール４Ｌの図柄番号「１３」，「１０」の図柄は、「Ｂ」図柄（第２不正解役図柄）である。左リール４Ｌの図柄番号「５」の図柄は、「Ｃ」図柄（第３不正解役図柄）である。」（以下、「本件特許明細書の記載Ｄ」という。）と、
　本件特許明細書の段落【００９６】には、
「右リール４Ｒの図柄番号「２１」，「１８」の図柄は、「Ａ」図柄（第４不正解役図柄）である。右リール４Ｒの図柄番号「１３」，「１０」の図柄は、「Ｂ」図柄（第５不正解役図柄）である。右リール４Ｒの図柄番号「５」の図柄は、「Ｃ」図柄（第６不正解役図柄）である。」（以下、「本件特許明細書の記載Ｅ」という。）と、
　本件特許明細書の段落【０２０６】には、
「左リール４Ｌ、中リール４Ｃおよび右リール４Ｒにおいて、「Ａ」図柄は、図３０に示されるように、図柄番号「２１」，「１８」の図柄である。通常ゲーム中、図柄番号「２１」の「Ａ」図柄から左リール４Ｌ、中リール４Ｃおよび右リール４Ｒの回転方向の上流側に最大引込コマ数である４コマ以内に含まれる図柄、つまり図柄番号「１７」〜「２１」の図柄が入賞ライン上に位置するときに、それぞれ左ストップボタン１６Ｌ、中ストップボタン１６Ｃおよび右ストップボタン１６Ｒが操作されると、リール停止制御により、図柄番号「２１」の「Ａ」図柄を入賞ライン上に停止させることが可能である。・・・これにより、「Ａ」図柄用停止テーブルでは、リール停止制御で「Ａ」図柄を入賞ライン上に停止させることが可能な第１引込可能範囲として、図柄番号「１４」〜「２１」の図柄を含む範囲が定められている。」（以下、「本件特許明細書の記載Ｆ」という。）と、
　本件特許明細書の段落【０２１７】には、
「左リール４Ｌ、中リール４Ｃおよび右リール４Ｒにおいて、「Ｂ」図柄は、図３０に示されるように、図柄番号「１３」，「１０」の図柄である。通常ゲーム中、図柄番号「１３」の「Ｂ」図柄から左リール４Ｌ、中リール４Ｃおよび右リール４Ｒの回転方向の上流側に最大引込コマ数である４コマ以内に含まれる図柄、つまり図柄番号「９」〜「１３」の図柄が入賞ライン上に位置するときに、それぞれ左ストップボタン１６Ｌ、中ストップボタン１６Ｃおよび右ストップボタン１６Ｒが操作されると、リール停止制御により、図柄番号「１３」の「Ｂ」図柄を入賞ライン上に停止させることが可能である。・・・これにより、「Ｂ」図柄用停止テーブルでは、リール停止制御で「Ｂ」図柄を入賞ライン上に停止させることが可能な第２引込可能範囲として、図柄番号「６」〜「１３」の図柄を含む範囲が定められている。」（以下、「本件特許明細書の記載Ｇ」という。）と、
　本件特許明細書の段落【０２１９】には、
「左リール４Ｌ、中リール４Ｃおよび右リール４Ｒにおいて、「Ｃ」図柄は、図３０に示されるように、図柄番号「５」の図柄である。・・・したがって、「Ｃ」図柄用停止テーブルでは、図柄番号「５」の「Ｃ」図柄についての引込可能範囲である第３引込可能範囲は、図柄番号「１」〜「５」の図柄を含む範囲に定められている。」（以下、「本件特許明細書の記載Ｈ」という。）と、記載されている。
　本件特許明細書の記載Ｄ、Ｆ〜Ｈの記載から、第１〜３不正解役図柄（「Ａ」〜「Ｃ」図柄）は、訂正前の請求項１と同様に、互いに重複しない第１〜３引込可能範囲が、本件特許明細書の記載Ｅ〜Ｈから、第４〜６不正解役図柄（「Ａ」〜「Ｃ」図柄）は、訂正前の請求項１と同様に、互いに重複しない第４〜６引込可能範囲が、設定されているといえるから、
　訂正前の請求項１の記載Ａの第１〜６正解役図柄は、それぞれ、第１〜６不正解役図柄であるといえる。
　
　よって、訂正事項１は、訂正前の請求項１の記載Ａを、訂正前の請求項１の記載Ｂ〜Ｃ、本件特許明細書の記載Ｄ〜Ｈに基づいて、
「前記第１不正解役図柄は、前記第１の図柄表示手段において、前記停止制御によって前記第１
不
　前記第２不正解役図柄は、前記第１の図柄表示手段において、前記停止制御によって前記第２
不
　前記第３不正解役図柄は、前記第１の図柄表示手段において、前記停止制御によって前記第３
不
　前記第４不正解役図柄は、前記第３の図柄表示手段において、前記停止制御によって前記第４
不
　前記第５不正解役図柄は、前記第３の図柄表示手段において、前記停止制御によって前記第５
不
　前記第６不正解役図柄は、前記第３の図柄表示手段において、前記停止制御によって前記第６
不
という明瞭な記載に訂正するものであるから、特許法第１２６条第１項ただし書第３号に掲げる、明瞭でない記載の釈明に該当する。
　
（２）訂正事項２について
　訂正前の請求項８には「前記抽選区分には、前記ゲーム開始図柄を含む前記図柄の」と記載されているが、この記載の前に「ゲーム開始図柄」という記載がないため、「前記ゲーム開始図柄」が何を指すか不明となり、訂正前の請求項８の記載が不明瞭になっていた。
　
　訂正事項２は、訂正前の請求項８の
「前記図柄には、特別ゲーム開始図柄が含まれ、
　前記抽選区分には、前記ゲーム開始図柄を含む前記図柄の」
という記載を、訂正前の請求項８の「前記図柄には、特別ゲーム開始図柄が含まれ、」という記載に基づき、
「前記図柄には、特別ゲーム開始図柄が含まれ、
　前記抽選区分には、前記
特別
と訂正するものであるから、特許法第１２６条第１項ただし書第３号に掲げる、明瞭でない記載の釈明に該当する。
　
（３）訂正事項３について
　訂正事項３は、上記３「（１）訂正事項１」の訂正により、本件訂正前の請求項１における明瞭でない記載の釈明の訂正を行った結果、記載表現が一致しなくなった本件特許明細書の段落【００１７】の記載を、訂正後の請求項１の記載に整合させるための訂正であるから、特許法第１２６条第１項ただし書第３号に掲げる、明瞭でない記載の釈明を目的とする訂正に該当する。
　
（４）訂正事項４について
　訂正事項４は、上記３「（１）訂正事項２」の訂正により、本件訂正前の請求項８における明瞭でない記載の釈明の訂正を行った結果、記載表現が一致しなくなった本件特許明細書の段落【００４１】の記載を、訂正後の請求項８の記載に整合させるための訂正であるから、特許法第１２６条第１項ただし書第３号に掲げる、明瞭でない記載の釈明を目的とする訂正に該当する。
　
（５）特許法第１２６条第３項に規定する要件について
　訂正後の請求項７は、訂正事項１を含む訂正後の請求項１、を含む請求項１〜６を引用しているから、請求項１〜７は一群の請求項である。
　また、訂正後の請求項８には訂正事項２が含まれるとともに、訂正後の請求項７を引用しているから、請求項７〜８は一群の請求項である。
　上記２つの一群の請求項は、請求項７が共通しているから、訂正後の請求項１〜８は、特許法施行規則第４６条の２第４号に規定する関係を有する一群の請求項である。
　したがって、本件訂正審判の請求は、一群の請求項（請求項１〜８）についてなされており、特許法第１２６条第３項の規定に適合する。
　
（６）特許法第１２６条第４項に規定する要件について
　本件特許明細書の段落【００１７】、【００４１】中に記載されている訂正事項３〜４は、それぞれ、請求項１、８に対応する【課題を解決するための手段】の記載であり、上記訂正事項１〜２に係る一群の請求項（請求項１〜８）は、当該訂正事項３〜４と関係を有するから、
　本件特許明細書の訂正である当該訂正事項３〜４と関係する一群の請求項（請求項１〜８）の全てが請求の対象とされている。
　したがって、本件請求は、第１２６条第４項の規定に適合するものである。
　
（７）特許法第１２６条第５項に規定する要件について
　訂正事項１〜４は、上記（１）〜（４）において検討したように、本件特許明細書、特許請求の範囲又は図面（以下「本件特許明細書等」という。）に記載した事項の範囲内のものである。
　したがって、訂正事項１〜４は、本件特許明細書等に記載した事項又は記載した事項から自明な事項であり、本件特許明細書等に記載した事項の全ての記載を総合することにより導かれる技術的事項との関係において新たな技術的事項を導入しないものであるから、訂正事項１〜４は、本件特許明細書等に記載した事項の範囲内においてするものであり、特許法第１２６条第５項の規定に適合する。
　
（８）特許法第１２６条第６項に規定する要件について
　訂正事項１〜４は、実質上特許請求の範囲を拡張し又は変更するものではないから、特許法第１２６条第６項の規定に適合する。
　
４　むすび 
　したがって、本件審判の請求は、特許法第１２６条第１項ただし書第３号に掲げる事項を目的とし、かつ、同条第３〜６項の規定に適合する。
　
　よって、結論のとおり審決する。